【手続補正書】
【提出日】平成18年3月8日(2006.3.8)
【手続補正１】
【補正対象書類名】明細書
【補正対象項目名】特許請求の範囲
【補正方法】変更
【補正の内容】
【特許請求の範囲】
【請求項１】
表示領域を有する液晶パネルが光源によって照射され、照射された光が液晶パネルを透過して観察者の眼に到達することにより、表示領域に表示された画像を観察者に見せる画像表示装置において、
前記光源は、点灯する位置または点灯する領域が変更可能に構成されるとともに、
前記光源から照射されて液晶パネルを透過する光を所定の範囲へ集光させる光学手段と、
前記光源の点灯位置または点灯領域を変更する制御を行う点灯制御手段と、
を備え、
前記点灯制御手段によって、光源から照射される光の拡散する範囲を変更することにより、表示領域に表示される画像が視認可能な視野角を変化させることを特徴とする画像表示装置。
【請求項２】
表示領域を有する液晶パネルが光源によって照射され、照射された光が液晶パネルを透過して観察者の眼に到達することにより、表示領域に表示された画像を観察者に見せる画像表示装置において、
前記光源は、点灯する位置または点灯する領域が変更可能に構成されるとともに、
前記光源から照射されて液晶パネルを透過する光を所定の範囲へ集光させる光学手段と、
前記光源の点灯位置または点灯領域を変更する制御を行う点灯制御手段と、
を備え、
前記点灯制御手段によって、光源から照射される光の拡散する範囲を変更することにより、表示領域に表示される画像が視認可能な視野角を変化させるものであり、この視野角の状態を示す視野角報知装置を設けたことを特徴とする画像表示装置。
【請求項３】
表示領域を有する液晶パネルが光源によって照射され、照射された光が液晶パネルを透過して観察者の眼に到達することにより、表示領域に表示された画像を観察者に見せる画像表示装置において、
前記光源は、点灯する位置または点灯する領域が変更可能に構成されるとともに、
前記光源から照射されて液晶パネルを透過する光を所定の範囲へ集光させる光学手段と、
前記光源の点灯位置または点灯領域を変更する制御を行う点灯制御手段と、
を備え、
前記点灯制御手段によって、光源から照射される光の拡散する範囲を変更することにより、表示領域に表示される画像が視認可能な視野角を変化させるものであり、
前記光源は、
光を放射する発光素子と、
この発光素子からの光のうち特定の偏光の光と、前記特定の偏光と直交する偏光の光とを、前記光学手段側に透過させる偏光手段と、により構成し、
前記液晶表示パネルと前記光学手段との間に配置されて、前記特定の偏光の光を透過する第１領域と、前記特定の偏光の光と直交する偏光の光を透過する第２領域とが、一定方向に繰り返して設けられたフィルタ手段を備えたことを特徴とする画像表示装置。
【請求項４】
前記点灯制御手段は、観察者の有無を検出する観察者存在検出手段を有し、観察者を検出していないときには、観察者を検出しているときよりも視野角を広げるように光源の点灯状態を制御することを特徴とする請求項１ないし請求項３のいずれかひとつに記載の画像表示装置。
【請求項５】
車両の位置情報を検出し、前記液晶パネルの表示領域へ地図情報とともに表示するナビゲーション手段を備え、
前記点灯制御手段は、車両が走行中か否かを検出する走行状態検出手段を有し、車両が走行中であるときには運転者側への画像の表示を停止する一方、車両の駐車中には運転者側への画像の表示を許容するように光源の点灯状態を制御することを特徴とする請求項２ないし請求項４のいずれかひとつに記載の画像表示装置。
【請求項６】
前記液晶パネルの表示領域に複数の識別情報を変動表示して変動表示ゲームを行うとともに、識別情報の停止表示態様に関連して遊技者に特典を付与する遊技制御手段と、
操作入力により視野角を選択する視野角選択手段と、
を備え、
前記点灯制御手段は、視野角選択手段により選択された視野角に対応して、光源の点灯状態を制御することを特徴とする請求項２ないし請求項４のいずれかひとつに記載の画像表示装置。
【手続補正２】
【補正対象書類名】明細書
【補正対象項目名】００１０
【補正方法】変更
【補正の内容】
【００１０】
また、第２の発明は、表示領域を有する液晶パネルが光源によって照射され、照射された光が液晶パネルを透過して観察者の眼に到達することにより、表示領域に表示された画像を観察者に見せる画像表示装置において、
前記光源は、点灯する位置または点灯する領域が変更可能に構成されるとともに、前記光源から照射されて液晶パネルを透過する光を所定の範囲へ集光させる光学手段と、前記光源の点灯位置または点灯領域を変更する制御を行う点灯制御手段と、を備え、前記点灯制御手段によって、光源から照射される光の拡散する範囲を変更することにより、表示領域に表示される画像が視認可能な視野角を変化させるものであり、この視野角の状態を示す視野角報知装置を設ける。
【手続補正３】
【補正対象書類名】明細書
【補正対象項目名】００１１
【補正方法】変更
【補正の内容】
【００１１】
また、第３の発明は、表示領域を有する液晶パネルが光源によって照射され、照射された光が液晶パネルを透過して観察者の眼に到達することにより、表示領域に表示された画像を観察者に見せる画像表示装置において、
前記光源は、点灯する位置または点灯する領域が変更可能に構成されるとともに、前記光源から照射されて液晶パネルを透過する光を所定の範囲へ集光させる光学手段と、前記光源の点灯位置または点灯領域を変更する制御を行う点灯制御手段と、を備え、前記点灯制御手段によって、光源から照射される光の拡散する範囲を変更することにより、表示領域に表示される画像が視認可能な視野角を変化させるものであり、前記光源は、光を放射する発光素子と、この発光素子からの光のうち特定の偏光の光と、前記特定の偏光と直交する偏光の光とを、前記光学手段側に透過させる偏光手段と、により構成し、前記液晶表示パネルと前記光学手段との間に配置されて、前記特定の偏光の光を透過する第１領域と、前記特定の偏光の光と直交する偏光の光を透過する第２領域とが、一定方向に繰り返して設けられたフィルタ手段を備える。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、第５の発明は、前記第２ないし第４の発明のいずれかひとつにおいて、車両の位置情報を検出し、前記液晶パネルの表示領域へ地図情報とともに表示するナビゲーション手段を備え、前記点灯制御手段は、車両が走行中か否かを検出する走行状態検出手段を有し、車両が走行中であるときには運転者側への画像の表示を停止する一方、車両の駐車中には運転者側への画像の表示を許容するように光源の点灯状態を制御する。
【手続補正６】
【補正対象書類名】明細書
【補正対象項目名】００１５
【補正方法】変更
【補正の内容】
【００１５】
また、第６の発明は、前記第２ないし第４の発明のいずれかひとつにおいて、前記液晶パネルの表示領域に複数の識別情報を変動表示して変動表示ゲームを行うとともに、識別情報の停止表示態様に関連して遊技者に特典を付与する遊技制御手段と、操作入力により視野角を選択する視野角選択手段と、を備え、前記点灯制御手段は、視野角選択手段により選択された視野角に対応して、光源の点灯状態を制御する。
【手続補正７】
【補正対象書類名】明細書
【補正対象項目名】００１７
【補正方法】変更
【補正の内容】
【００１７】
また、第２の発明は、視野角報知装置を設けて現在の視野角に関する情報を明示するようにしたので、観察者に分かりやすく視野角を示すことが可能となるのである。また、視野角報知装置により視野角外から画像表示装置の稼動状態を確認できるので、視野角が狭い状態であっても、観察者は自らの視点を視野角内へ導くことができる。
【手続補正８】
【補正対象書類名】明細書
【補正対象項目名】００１８
【補正方法】変更
【補正の内容】
【００１８】
また、第３の発明は、光源を発光素子と偏光手段により構成し、偏光手段を透過したそれぞれの偏光が光学手段によって異なる視野角の方向へ集光するとともに、一方の偏光のみが透過可能な第１領域と、他方の偏光のみが透過可能な第２領域を設けたフィルタ手段によって、液晶パネルに表示する画像を前記第１領域と第２領域に分けて描画すれば、第１領域に対応する第１の画像と、第２領域に対応する第２の画像とを、異なる視野角にいる観察者に対して別々に見せることができる。また、第１の画像と第２の画像とに視差を付けて、立体画像として観察者に見せることも可能になる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
また、第５の発明は、車両の位置情報を検出し、前記液晶パネルへ地図情報とともに表示するナビゲーション手段を備え、車両が走行中であるときには運転者側への画像の表示を停止する一方、車両の駐車中には画像の表示を許容することで、運転者の脇見を防いで安全性を向上できる。
【手続補正１１】
【補正対象書類名】明細書
【補正対象項目名】００２２
【補正方法】変更
【補正の内容】
【００２２】
また、第６の発明は、液晶パネルに複数の識別情報を変動表示して変動表示ゲームを行い、遊技者の操作に応じて視野角を選択することで、変動表示ゲームを視認可能な範囲を遊技者が設定することで、他人へ変動表示ゲームを見せるのを防いだり、特定の仲間へ変動表示ゲームを見せたりすることが可能となる。